(57)【要約】【課題】薄型であって、輝度ムラない品位の高い照明を実現することができ、両面表示の表示装置として用いる場合、一方の面の画像が他方の面に映り込むのを抑制し得る光源モジュール及びそれを備えた表示装置を提供する。【解決手段】バックライトモジュール（１０Ａ）は、ＬＥＤ（１３ｂ）と、ＬＥＤ（１３ｂ）からの光を入射面（１１ａ）から結合し、内部を伝搬し、かつ外部へ取り出す導光板（１１）とを備える。導光板（１１）の両面側には、光拡散部材（１２・１２）がそれぞれ配設されている。各光拡散部材（１２・１２）の反射率は、該各光拡散部材（１２・１２）の透過率よりも高い。【選択図】図１
2014145824.tif 000002
【特許請求の範囲】
【請求項１】
光源と、上記光源からの光を端面から結合し、内部を伝搬し、かつ外部へ取り出す導光部材とを備える光源モジュールにおいて、
上記導光部材の両面側には、光拡散部材がそれぞれ配設されていると共に、
上記各光拡散部材の反射率は、該各光拡散部材の透過率よりも高いことを特徴とする光源モジュール。
【請求項２】
少なくとも一方の前記光拡散部材は、前記導光部材との間に隙間を有して配設されていることを特徴とする請求項１記載の光源モジュール。
【請求項３】
前記少なくとも一方の光拡散部材と前記導光部材との間に隙間を有する側の該光拡散部材の外側には画像層が配設されていると共に、
上記光拡散部材と上記導光部材との隙間の距離は、上記画像層と光拡散部材との間の距離よりも大きいことを特徴とする請求項２記載の光源モジュール。
【請求項４】
前記光源は、発光ダイオードであることを特徴とする請求項１，２又は３記載の光源モジュール。
【請求項５】
請求項１〜４のいずれか１項に記載の光源モジュールを備えた表示装置であって、
上記光源モジュールの両面側に画像層が配設されていることを特徴とする表示装置。
【発明の詳細な説明】
【技術分野】
【０００１】
本発明は、光源モジュール及びそれを用いた表示装置に関するものであり、特に、両面表示用でありながら薄型である光源モジュール及びそれを用いた表示装置に関する。
【背景技術】
【０００２】
従来、画像が印刷等されてなる画像層を照明して表示する電飾看板１００は、例えば図９に示すように、ハウジング１０１内に蛍光灯１０２を数本配列し、蛍光灯１０２の上方に配置された画像層１０３を照明する構造になっている。
【０００３】
このような構造の電飾看板１００は、蛍光灯１０２の形が浮き出てしまうことを防止するために、蛍光灯１０２と画像層１０３との間隔を１５〜２０ｃｍ程度離す必要があり、厚みが厚くなってしまうという欠点がある。特に、近年は両面から画像を観察することが求められる場合があり、蛍光灯１０２と両面の画像層１０３との間隔を離した場合、より一層厚くなってしまう。
【０００４】
そこで、両面から画像を観察できると共に、厚みを薄くすることを解決するものとして、例えば特許文献１には、図１０に示すように、導光板２１１・２１１同士を背中合わせとし、背中合わせとした導光板２１１・２１１の間に反射フィルム２１２を挟みこみ、背中合わせとした導光板２１１・２１１の側端部に光源２１３を配置してなるバックライト２１０を使用した電飾看板２００が提案されている。この電飾看板２００では、光源２１３の点灯により、各導光板２０１・２０１から両面に光が出射され、両面の表示パネル２０１・２０１の画像がそれぞれ表示されるようになっている。
【０００５】
この電飾看板２００では、光源２１３を導光板２０１・２０１の側端部に配置できるため、従来の電飾看板よりも厚さを薄くできるものとなっている。
【先行技術文献】
【特許文献】
【０００６】
【特許文献１】特開２００４−１３０７２号公報（２００４年１月１５日公開）
【発明の概要】
【発明が解決しようとする課題】
【０００７】
しかしながら、上記従来の特許文献１に開示された光源モジュール及びそれを備えた電飾看板等の表示装置においても、導光板２１１・２１１が２つ設けられているので、光源モジュール及びそれを備えた表示装置の厚さが十分には薄くないという問題点を有している。
【０００８】
一方、光源モジュール及び表示装置の厚さを薄くすると、例えば裏面側の光が表面側に影響し、表面側で輝度ムラとなる虞がある。また、そのような光源モジュールを電飾看板等の表示装置に用いた場合には、画像を両面表示する場合の一方の面の画像が他方の面に映り込むという問題点を有している。
【０００９】
本発明は、上記従来の問題点に鑑みなされたものであって、その目的は、薄型であって、輝度ムラない品位の高い照明を実現することができ、両面表示の表示装置として用いる場合、一方の面の画像が他方の面に映り込むのを抑制し得る光源モジュール及びそれを備えた表示装置を提供することにある。
【課題を解決するための手段】
【００１０】
本発明の一態様における光源モジュールは、上記の課題を解決するために、光源と、上記光源からの光を端面から結合し、内部を伝搬し、かつ外部へ取り出す導光部材とを備える光源モジュールにおいて、上記導光部材の両面側には、光拡散部材がそれぞれ配設されていると共に、上記各光拡散部材の反射率は、該各光拡散部材の透過率よりも高いことを特徴としている。
【００１１】
本発明の一態様における表示装置は、上記課題を解決するために、前記記載の光源モジュールを備えた表示装置であって、上記光源モジュールの両面側に画像層が配設されていることを特徴としている。
【発明の効果】
【００１２】
本発明の一態様によれば、薄型であって、輝度ムラない品位の高い照明を実現することができ、両面表示の表示装置として用いる場合、一方の面の画像が他方の面に映り込むのを抑制し得る光源モジュール及びそれを備えた表示装置を提供するという効果を奏する。
【図面の簡単な説明】
【００１３】
【図１】本発明の実施形態１における電飾看板の概略構成を示す断面図である。
【図２】上記電飾看板に備えられた光源モジュールとしてのバックライトモジュールの構成を示す正面図である。
【図３】比較例の電飾看板を示すものであって、反射率が低い光拡散部材を備える電飾看板における裏面側の画像フィルムの画像の表面側への写り込み現象の原理を示す断面図である。
【図４】上記実施形態１における電飾看板を示すものであって、反射率が高い光拡散部材を備える電飾看板における裏面側の画像フィルムの画像の表面側への写り込み現象の解消の原理を示す断面図である。
【図５】上記電飾看板における光散乱部の散乱効果を示す断面図である。
【図６】本発明の実施形態２における電飾看板を示すものであって、電飾看板の概略構成を示す断面図である。
【図７】上記電飾看板に備えられた光源モジュールとしてのバックライトモジュールの構成を示す正面図である。
【図８】本発明の実施形態３における電飾看板を示すものであって、電飾看板の概略構成を示す断面図である。
【図９】従来の電飾看板の構成を示す断面図である。
【図１０】従来の他の電飾看板の構成を示す断面図である。
【発明を実施するための形態】
【００１４】
〔実施の形態１〕
本発明の一実施形態について図１〜図５に基づいて説明すれば、以下のとおりである。
【００１５】
本実施の形態においては、電子機器及び表示装置として電飾看板、並びに電飾看板に備えられた光源モジュールとしてのバックライトモジュールについて説明する。ただし、電子機器及び表示装置並びに光源モジュールはこれに限られず、例えば、電子機器及び表示装置として液晶表示装置、室内の照明装置が含まれ、光源モジュールとして、照明装置の一部である光を面上に発光する発光部等が含まれる。
【００１６】
最初に、本実施の形態の光源モジュールとしてのバックライトモジュールを備えた電子機器及び表示装置としての電飾看板１Ａの構成について、図１及び図２に基づいて説明する。図１は、本実施の形態における電飾看板の概略構成を示す断面図である。図２は、上記電飾看板に備えられた光源モジュールとしてのバックライトモジュールの構成を示す正面図である。
【００１７】
本実施の形態における電飾看板１Ａは、図１に示すように、カバー部材２・２と、上下部に設けられたフレーム３・３と、光源モジュールとしてのバックライトモジュール１０Ａと、画像が印刷された画像層としての画像フィルム４ａ・４ｂと、該画像フィルム４ａ・４ｂを保護する保護板５・５と、制御部６とを備えている。
【００１８】
上記カバー部材２・２及びフレーム３・３の内部には、導光部材としての導光板１１を挟み込むように２枚の光拡散部材１２・１２が配置されている。また、導光板１１の一方の側方には光源群１３が配置されており、光拡散部材１２・１２を挟み込む上記フレーム３・３が光源群１３を覆うようにして取り付けられている。上記光源群１３は、制御部６に接続されている。
【００１９】
上記バックライトモジュール１０Ａは、上記導光板１１と、光拡散部材１２・１２と、光源群１３とを含んで成っている。
【００２０】
上記光源群１３は、導光板１１の長手方向の例えば一方の側方に設けられており、該光源群１３は、回路基板１３ａと該回路基板１３ａに互いに間隔を置いて実装された光源としての複数のＬＥＤ（Light Emitting Diode）１３ｂとからなっている。
【００２１】
上記導光板１１は、本実施の形態においては、略直方体形状を有する導光体からなっており、厚み方向については一層からなっている。また、平面方向についても本実施の形態では１枚のものからなっている。尚、このように、本実施の形態の導光板１１は、平面方向について１枚の導光体から構成されているが、本発明においては必ずしもこれに限らず、例えば、分割された複数の平板状の導光体を横方向に並べたものから構成されていてもよい。
【００２２】
上記導光板１１は、図２に示すように、ＬＥＤ１３ｂに対向するように位置して該ＬＥＤ１３ｂからの光が入射する入射面１１ａを有している。また、導光板１１は、図１に示すように、入射面１１ａと該入射面１１ａに対向する対向面１１ｂとに直交する出射面１１ｃを有している。また、出射面１１ｃに対向する面である出射面１１ｄには、後述する光変換部材である光散乱部１４が形成されている。
【００２３】
導光板１１は、入射面１１ａから入射した光を、出射面１１ｃ・１１ｄの間と、図２に示す側面１１ｅ・１１ｆの間とにおいて、全反射させつつ導光板１１の内部を伝播させる。そして、光散乱部１４での散乱により全反射条件が崩れて出射面１１ｃ・１１ｄから光が出射されるようになっている。
【００２４】
以下、上記電飾看板１Ａの構成部品について詳細に説明する。
【００２５】
まず、本実施の形態におけるバックライトモジュール１０Ａにおいては、光源としてＬＥＤ１３ｂを採用している。しかし、本発明においては、必ずしもこれに限らず、例えば、蛍光管又はその他の光源を採用することができる。
【００２６】
下部に設けられたフレーム３は光源であるＬＥＤ１３ｂを固定し、上下部に設けられたフレーム３・３は、導光板１１及び光拡散部材１２・１２を挟持、固定する。また、上下部に設けられたフレーム３・３は、固定されたＬＥＤ１３ｂの発する熱を放熱する効果を有する。このため、フレーム３は、熱伝導性の高い金属材料を使用するのが好ましく、例えばアルミニウム（Ａｌ）からなる材料を使用することがより好ましい。また、ＬＥＤ１３ｂの固定には、熱伝導性の高い両面テープを用いてもよいし、又はビス固定してもよい。
【００２７】
光拡散部材１２・１２は、光を拡散する効果、及び光を反射する効果を有する。すなわち、本実施の形態では、各光拡散部材１２・１２の反射率は、該光拡散部材１２・１２の透過率よりも高くなっている。これにより、光拡散部材１２・１２は、その光拡散効果及び光反射効果によって、導光板１１から出射する光の輝度ムラを抑制すると共に、裏面側の画像の写り込みを抑制する機能を有している。
【００２８】
ここで、光拡散部材１２は、所望の光学性能を持たせるためにこの構成枚数や組合せは限定されない。材質は、例えば、ポリメチルメタアクリレート（ＰＭＭＡ）やポリカーネート（ＰＣ）、ポリスチレン（ＰＳ）等をベースとして、拡散剤が含有されたものが用いられる。
【００２９】
制御部６は、ＬＥＤ１３ｂのＯＮ／ＯＦＦ、及び光量出力を制御することができる。ＬＥＤ１３ｂの出力は電流量の調整、又はパルス幅変調（ＰＷＭ）等によって制御することができる。
【００３０】
画像フィルム４ａ・４ｂは、電飾看板１Ａに表示する画像を印刷したフィルムであり、画像を印刷したものであれば材質は特に限定されるものではない。一般的には、ポリエチレンテレフタラート（ＰＥＴ）を基材とし、該ポリエチレンテレフタラート（ＰＥＴ）フィルム表面に印刷インクが定着し易いように定着剤等が施されたものが用いられる。
【００３１】
保護板５・５は、画像フィルム４ａ・４ｂの傷や汚れが付くことを防止することを目的としている。また、保護板５・５は、保護する画像フィルム４ａ・４ｂの画像を損なうことがないように光透過性の高い透明材料で構成され、例えば、例えば、ＰＭＭＡ（アクリル）やＰＣ（ポリカーネート）、ＰＳ（ポリスチレン）等が用いられる。耐傷性や耐環境性の点よりＰＣが好ましい。
【００３２】
カバー部材２・２は、画像フィルム４ａ・４ｂ及び保護板５・５を押えて保持する機能と電飾看板１Ａの表示領域を視認可能とする窓部を有している。
【００３３】
導光板１１は、光透過性の高い透明材料からなり、例えば、ポリメチルメタアクリレート（ＰＭＭＡ）やポリカーネート（ＰＣ）、ポリスチレン（ＰＳ）等が用いられる。
【００３４】
導光板１１の出射面１１ｄには、光路変換部材である複数の光散乱部１４が互いに間隔を置いて形成されている。本実施の形態では、光散乱部１４は、例えばドット状に形成されている。
【００３５】
上記光散乱部１４のドット径は、導光板１１の入射面１１ａ側から対向面１１ｂに向かうに伴って大きくなるように形成されている。また、光散乱部１４は、導光板１１の長手方向の中央を通過して導光板１１の短手方向に延びる仮想軸線に対して、対称となるように配置されている。
【００３６】
上記光散乱部１４の１つのドット径は、例えば、０．２ｍｍ以上１．５ｍｍ以下である。尚、本実施の形態では、光散乱部１４をドット状としたが、必ずしもこれに限らず、線や楕円、矩形でも構わず、光を散乱する機能を有し、サイズ（長さ）によって拡散光量を制御できればよい。
【００３７】
また、光散乱部１４は、例えば、光散乱微粒子をポリマー中に分散させて、その後、該ポリマーを出射面１１ｄに印刷することにより形成されている。光散乱粒子として蛍光体を用いてもよい。これら光散乱部１４はインクジェットにより形成されてもよい。このとき、インクジェットにて形成されるポリマー中に光散乱粒子を含まず、ポリマーの形状による光の屈折による効果を利用してもよい。また、光散乱部１４は、出射面１１ｄに、プリズム等の微細な凹凸形状を形成することにより構成してもよい。さらに、出射面１１ｄに、レーザー加工やブラスト処理を施すことにより、光散乱部１４を構成してもよい。
【００３８】
上述のように、出射面１１ｄに光散乱部１４を形成することにより、導光板１１の内部を伝播する光の光路を変更することができる。具体的には、導光板１１の内部を伝播する光が、出射面１１ｄの光散乱部１４に入射することにより、その光は散乱されて導光板１１の内部を進む方向が変えられる。その結果、光散乱部１４で散乱された光の少なくとも一部は、出射面１１ｃで全反射せずに、出射面１１ｃ・１１ｄから外部に出射する。
【００３９】
入射面１１ａから導光板１１の内部に入射した光は、入射面１１ａ及び側面１１ｅ・１１ｆから離れるにつれて、拡散して光量が減衰する。そのため、上記のように、入射面１１ａ及び側面１１ｅ・１１ｆから離れるにつれて、光散乱部１４のドット径を大きくして配置密度を高くすることにより、出射面１１ｃ・１１ｄから出射される光の輝度にばらつきが生じることを抑制することができる。
【００４０】
ここで、本実施の形態では、導光板１１への光の入射を入射面１１ａの一辺から行ったが、必ずしもこれに限らず、後述する実施の形態２の図６及び図７に示すように、入射面１１ａと対向する対向面１１ｂからも光を入射する二辺入光としてもよいし、又は図示しないが、側面１１ｅ・１１ｆからも光を入射してもよい。
【００４１】
また、光散乱部１４においてはドット径にて導光板１１から取り出す光量を調整したが、必ずしもこれに限らず、ドットの配置間隔を変化させて密度を制御してもよい。
【００４２】
次に、上記構成を有する本実施の形態の電飾看板１Ａにおける裏面側の画像フィルム４ｂの画像の表面側への写り込み現象について、図３〜図５に基づいて説明する。図３は、比較例を示すものであって、反射率が低い光拡散部材１２を備える電飾看板８０の裏面側の画像フィルム４ｂの画像の表面側への写り込み現象について説明した図である。図４は、本実施の形態における反射率が高い光拡散部材１２を備える電飾看板１Ａにおける裏面側の画像フィルム４ｂの画像の表面側への写り込み現象について説明した図である。図５は、本実施の形態の電飾看板１Ａにおける導光板１１を伝搬し、光散乱部１４によって外部へ出射された光に対する光散乱部１４の散乱効果を説明する図である。
【００４３】
図３に示すように、反射率が低い光拡散部材８２・８２を備える電飾看板８０においては、導光板１１の裏面側に配された画像フィルム４ｂの画像は、電飾看板８０の出射面１１ｄ側（図３において「Ｂ面側」と表示）の外部から入射された外光Ｌ１によって、出射面１１ｃ側（図３において「Ａ面側」と表示）へ透過する。このとき、画像フィルム４ｂの画像陰影は、光拡散部材１２・１２によって拡散されるが、光拡散部材１２・１２の拡散効果だけでは導光板１１の表面側である出射面１１ｃ側（図３において「Ａ面側」と表示）の光拡散部材１２に画像陰影が写り込むことになる。
【００４４】
また、導光板１１から出射された光Ｌ２についても、出射面１１ｄ側（図３において「Ｂ面側」と表示）へ出射された光は、画像フィルム４ｂに至り、外部へ透過するが、一部は画像フィルム４ｂや保護板５の表面によって反射されて、反対側の出射面１１ｃ側（図３において「Ａ面側」と表示）へと透過する。このとき、前述の現象と同様に、画像フィルム４ｂの画像陰影が出射面１１ｃ側（図３において「Ａ面側」と表示）に映りこむ。
【００４５】
一方、図４に示すように、反射率が高い光拡散部材１２・１２を備える本実施の形態の電飾看板１Ａの場合には、出射面１１ｄ側（図４において「Ｂ面側」と表示）の画像フィルム４ｂの画像は、電飾看板１Ａにおける出射面１１ｄ側（図４において「Ｂ面側」と表示）の外部から入射された外光ｌ１によって、出射面１１ｃ側（図４において「Ａ面側」と表示）へ一部が透過するが、大部分の光は該光拡散部材１２によって反射される。
【００４６】
すなわち、画像フィルム４ｂの画像陰影は、光拡散部材１２の反射効果によって出射面１１ｃ側（図４において「Ａ面側」と表示）へと透過する光量を小さくすることができ、また、透過する光は光拡散部材１２により拡散されるため、導光板１１の表面側である出射面１１ｃ側（図４において「Ａ面側」と表示）の光拡散部材１２に画像陰影が写り込むことを抑制することができる。
【００４７】
また、導光板１１から出射された光Ｌ２についても、出射面１１ｄ側（図４において「Ｂ面側」と表示）へ出射され、画像フィルム４ｂに至り、一部の光は反射されて、反対側の出射面１１ｃ側（図５において「Ａ面側」と表示）へと透過することになるが、前述と同様に、光拡散部材１２の反射の効果によって、出射面１１ｄ側（図４において「Ｂ面側」と表示）の画像フィルム４ｂの画像陰影が出射面１１ｃ側（図４において「Ａ面側」と表示）に映りこむことを抑制することができる。
【００４８】
次に、図５に示すように、導光板１１を伝播し、この導光板１１の光散乱部１４により取り出された光は、反射率の高い光拡散部材１２の表面にて反射を繰り返えされるが、最終的には透過して大半が電飾看板１Ａの外部へ取り出される。このとき、光拡散部材１２にて複数回反射されることによって、光散乱部１４の一部分から取り出された光は光拡散部材１２のより大きな領域から分散される形で外部へと透過されることになる。すなわち、局所的に光量が大きくなることを抑制し、光を均一にして外部に取り出すことができる。さらには、この透過の際に、光拡散部材１２の拡散効果によって光をより均一に外部へと透過することができる。すなわち、光拡散部材１２の反射効果及び拡散効果によってより均一な面発光を実現することができる。
【００４９】
このように、本実施の形態のバックライトモジュール１０Ａ及びそれを備えた電飾看板１Ａでは、ＬＥＤ１３ｂと、ＬＥＤ１３ｂからの光を端面から結合し、内部を伝搬し、かつ外部へ取り出す導光板１１とを備えるバックライトモジュール１０Ａにおいて、導光板１１は１層からなり、かつ導光板１１の両面側には、光拡散部材１２・１２がそれぞれ配設されている。
【００５０】
これにより、導光板１１は１層からなっており、かつ光拡散部材１２・１２は薄いシートで構成できるので、バックライトモジュール１０Ａとしても薄いものを形成することができる。したがって、従来よりも薄型のバックライトモジュール１０Ａを提供することができる。
【００５１】
また、本実施の形態では、各光拡散部材１２・１２の反射率は、該光拡散部材１２・１２の透過率よりも高い。尚、このようになっているのは、後述する実施例にて示す性能評価実験で確認されたためである。
【００５２】
この結果、外部透過光Ｌ１が一方の光拡散部材１２から入射してきても、その外部透過光Ｌ１は該一方の光拡散部材１２にて反射されるので、その外部透過光Ｌ１が他方の光拡散部材１２を通して外部へ抜けていくことは少ない。
【００５３】
したがって、一方の光拡散部材１２の外部透過光Ｌ１が他方の光拡散部材１２から出射される光に影響することは殆どない。この結果、輝度ムラない品位の高い照明を実現することができる。このことは、このバックライトモジュール１０Ａの両面に画像フィルム４ａ・４ｂを備えた電飾看板１Ａが存在する場合においても、一方の画像フィルム４ｂの光が、他方の画像フィルム４ａから出射される光には影響しない。このため、一方の面の画像が他方の面に映り込むことはない。
【００５４】
したがって、薄型であって、輝度ムラない品位の高い照明を実現することができ、両面表示の電飾看板１Ａとして用いる場合、一方の面の画像が他方の面に映り込むのを抑制し得るバックライトモジュール１０Ａ及びそれを備えた電飾看板１Ａを提供することができる。
【００５５】
また、本実施の形態のバックライトモジュール１０Ａ及びそれを備えた電飾看板１Ａでは、光拡散部材１２・１２の反射率は、７８％以上であることが好ましい。
【００５６】
これにより、確実に、輝度ムラない品位の高い照明を実現することができ、両面表示の電飾看板１Ａとして用いる場合、一方の面の画像が他方の面に映り込むのを抑制し得るバックライトモジュール１０Ａ及びそれを備えた電飾看板１Ａを提供することができる。
【００５７】
また、本実施の形態のバックライトモジュール１０Ａでは、光源は、ＬＥＤ１３ｂである。これにより、ＬＥＤ１３ｂは小型であり、一個の光量も大きいと共に、消費電力が小さく長寿命であるので、導光板１１を備えたバックライトモジュール１０Ａの光源として適している。
【００５８】
また、本実施の形態の電飾看板１Ａは、本実施の形態のバックライトモジュール１０Ａを備えていると共に、バックライトモジュール１０Ａの両面側に画像フィルム４ａ・４ｂが配設されている。
【００５９】
このような、電飾看板１Ａでは、画像を両面表示する場合の一方の面の画像が他方の面に映り込むという問題点を有している。
【００６０】
しかし、本実施の形態の電飾看板１Ａは、本実施の形態のバックライトモジュール１０Ａを備えている。したがって、薄型であって、輝度ムラない品位の高い照明を実現することができ、両面表示の電飾看板１Ａとして用いる場合、一方の面の画像が他方の面に映り込むのを抑制し得るバックライトモジュール１０Ａを備えた電飾看板１Ａを提供することができる。
【００６１】
〔実施の形態２〕
本発明の他の実施の形態について図６及び図７に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６２】
前記実施の形態１の光源モジュールとしてのバックライトモジュール１０Ａ及びそれを備えた電飾看板１Ａでは、光源としてのＬＥＤ１３ｂが、導光板１１の一辺にのみ設けられたものであった。しかし、本実施の形態の光源モジュールとしてのバックライトモジュール１０Ｂ及びそれを備えた電飾看板１Ｂでは、導光板１１の対向する二辺に光源としてのＬＥＤ１３ｂ・１３ｂが設けられている点が異なっている。
【００６３】
本実施の形態の光源モジュールとしてのバックライトモジュール１０Ｂ及びそれを備えた電飾看板１Ｂの構成について、図６及び図７に基づいて説明する。図６は、本実施の形態における電飾看板１Ｂの概略構成を示す断面図である。図７は、電飾看板１Ｂに備えられた光源モジュールとしてのバックライトモジュール１０Ｂの構成を示す正面図である。
【００６４】
本実施の形態のバックライトモジュール１０Ｂ及びそれを備えた電飾看板１Ｂは、図６に示すように、カバー部材２・２と、上下部に設けられたフレーム３・３と、バックライトモジュール１０Ｂと、画像が印刷された画像フィルム４ａ・４ｂと、該画像フィルム４ａ・４ｂを保護する保護板５・５と、制御部６とを備えている。
【００６５】
上記カバー部材２・２及びフレーム３・３の内部には、導光部材としての導光板１１を挟み込むように２枚の光拡散部材１２・１２が配置されている。また、導光板１１の二方の側方には光源群１３・１３が配置されており、光拡散部材１２・１２を挟み込む上記フレーム３・３が光源群１３・１３を覆うようにして取り付けられている。上記光源群１３・１３は、制御部６に接続されている。
【００６６】
上記バックライトモジュール１０Ｂは、上記導光板１１と、光拡散部材１２・１２と、光源群１３・１３とを含んで成っている。
【００６７】
上記光源群１３・１３は、図７に示すように、導光板１１の長手方向の二方の側方に設けられており、該光源群１３・１３は、回路基板１３ａと該回路基板１３ａに互いに間隔を置いて実装された光源としての複数のＬＥＤ（Light Emitting Diode）１３ｂ・１３ｂとからなっている。
【００６８】
そして、上記構成のバックライトモジュール１０Ｂ及びそれを備えた電飾看板１Ｂでは、ＬＥＤ１３ｂ・１３ｂからの光は、導光板１１の入射面１１ａ及び対向面１１ｂの対向する二辺から入射されるようになっている。
【００６９】
この結果、導光板１１に入射される光量が多くなるので、画像フィルム４ａ・４ｂの画像をより明るく表示できるバックライトモジュール１０Ｂ及び電飾看板１Ｂを提供できるものとなっている。
【００７０】
ここで、本実施の形態のバックライトモジュール１０Ｂ及び電飾看板１Ｂは、実施の形態１のバックライトモジュール１０Ａ及び電飾看板１Ａに比べて、ＬＥＤ１３ｂ・１３ｂが導光板１１の入射面１１ａ及び対向面１１ｂの二辺から入射、伝搬する点が異なるだけであり、効果は実施の形態１のバックライトモジュール１０Ａ及び電飾看板１Ａとおなじであるため、その他の説明は省略する。
【００７１】
尚、本実施の形態のＬＥＤ１３ｂ・１３ｂの配置及び入射する辺の数等は、限定されるものではない。ＬＥＤ１３ｂ・１３ｂの配置として導光板１１の対向２辺に限らず、例えば、導光板１１の入射面１１ａと側面１１ｅとのＬ字に配置してもよい。また、ＬＥＤ１３ｂを導光板１１の三辺、又は四辺の全てに配置してもよい。
【００７２】
このように、本実施の形態の電飾看板１Ｂは、本実施の形態のバックライトモジュール１０Ｂを備えていると共に、バックライトモジュール１０Ｂの両面側に画像フィルム４ａ・４ｂが配設されている。
【００７３】
このような、電飾看板１Ｂでは、画像を両面表示する場合の一方の面の画像が他方の面に映り込むという問題点を有している。
【００７４】
しかし、本実施の形態の電飾看板１Ｂは、本実施の形態のバックライトモジュール１０Ｂを備えている。したがって、薄型であって、輝度ムラない品位の高い照明を実現することができ、両面表示の電飾看板１Ｂとして用いる場合、一方の面の画像が他方の面に映り込むのを抑制し得るバックライトモジュール１０Ｂを備えた電飾看板１Ｂを提供することができる。
【００７５】
〔実施の形態３〕
本発明のさらに他の実施の形態について図８に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００７６】
前記実施の形態１の光源モジュールとしてのバックライトモジュール１０Ａ及びそれを備えた電飾看板１Ａでは、光拡散部材１２・１２は導光板１１とは密着して設けられていた。しかし、本実施の形態の光源モジュールとしてのバックライトモジュール１０Ｃ及びそれを備えた電飾看板１Ｃでは、少なくとも一方の光拡散部材１２は導光板１１に対して隙間を有して設けられている点が異なっている。
【００７７】
本実施の形態の光源モジュールとしてのバックライトモジュール１０Ｃ及びそれを備えた電子機器及び表示装置としての電飾看板１Ｃの構成について、図８に基づいて説明する。図８は、本実施の形態における電飾看板１Ｃの概略構成を示す断面図である。
【００７８】
本実施の形態のバックライトモジュール１０Ｃ及びそれを備えた電飾看板１Ｃは、図８に示すように、カバー部材２・２と、上下部に設けられたフレーム３・３と、バックライトモジュール１０Ｃと、画像が印刷された画像フィルム４ａ・４ｂと、該画像フィルム４ａ・４ｂを保護する保護板５・５と、制御部６とを備えている。
【００７９】
上記カバー部材２・２及びフレーム３・３の内部には、導光部材としての導光板１１を挟み込むように２枚の光拡散部材１２・１２が配置されている。また、導光板１１の一方の側方には光源群１３が配置されており、光拡散部材１２・１２を挟み込む上記フレーム３・３が光源群１３を覆うようにして取り付けられている。上記光源群１３は、制御部６に接続されている。
【００８０】
上記バックライトモジュール１０Ｃは、上記導光板１１と、光拡散部材１２・１２と、光源群１３とを含んで成っている。
【００８１】
そして、本実施の形態では、図８に示すように、導光板１１に対して画像フィルム４ｂ側に設けられている光拡散部材１２は、導光板１１とは隙間１５を有して配設されている。
【００８２】
このように、本実施の形態のバックライトモジュール１０Ｃは、光拡散部材１２と導光板１１との間に隙間１５を有する。これによって、より大きな光拡散効果を得ることができるので、画像フィルム４ｂの画像の導光板１１の表面側への映り込みを抑制することができる。
【００８３】
ここで、図８に示すように、本実施の形態のバックライトモジュー１０Ｃでは、導光板１１と光拡散部材１２との間に隙間１５を有している側において、画像フィルム４ｂは光拡散部材１２に密着つまり距離ゼロの状態で配置されている。したがって、光拡散部材１２と導光板１０との間の隙間１５の距離は、光拡散部材１２と画像フィルム４ｂとの間の距離よりも大きいといえる。
【００８４】
すなわち、光拡散部材１２の光反射率が低い従来の光拡散部材を用いる場合は、光拡散部材１２の光拡散効果を高めるようにするには、光拡散部材１２と画像フィルム４ｂとの間の距離を広くとることが一般的である。この理由は、導光板１０から出射され光拡散部材１２にて広角度に拡散されて該光拡散部材１２から画像フィルム４ｂ側に出射された光が光拡散部材１２と画像フィルム４ｂとの間で十分混合均一化されることによって光均一性（写り込み防止効果）が高まる効果が得られるためである。
【００８５】
しかし、本実施の形態のように、光拡散部材１２の反射率が大きい場合は、光拡散部材１２と画像フィルム４ｂとの間の距離を大きくとることによる輝度均一性向上の効果も期待できるが、その効果よりも導光板１０と光拡散部材１２の間の距離を大きくとることによる輝度均一性向上の方が遥かに大きい。この結果、画像フィルム４ｂを含めた全体の厚さが同じであれば、光拡散部材１２と画像フィルム４ｂとの間の距離を大きくとるよりも、光拡散部材１２と導光板１０との間の隙間１５の距離を、光拡散部材１２と画像フィルム４ｂとの間の距離よりも大きくとるほうが有利であるといえる。
【００８６】
尚、導光板１０と光拡散部材１２との間の隙間１５の距離を大きくとると光均一性が高まる理由は、図４及び図５の説明にて述べたように、光拡散部材１２の反射率が高いため、２枚の反射部材である光拡散部材１２の間で何回か反射を繰り返した後に外部に出射されるようになる。このときに、２枚の反射部材である光拡散部材１２の距離が大きいほど光均一性の効果が高くなる。
【００８７】
また、本実施の形態の電飾看板１Ｃは、本実施の形態のバックライトモジュール１０Ｃを備えていると共に、バックライトモジュール１０Ｃの両面側に画像フィルム４ａ・４ｂが配設されている。
【００８８】
このような、電飾看板１Ｃでは、画像を両面表示する場合の一方の面の画像が他方の面に映り込むという問題点を有している。
【００８９】
しかし、本実施の形態の電飾看板１Ｃは、本実施の形態のバックライトモジュール１０Ｃを備えている。したがって、薄型であって、輝度ムラない品位の高い照明を実現することができ、両面表示の電飾看板１Ｃとして用いる場合、一方の面の画像が他方の面に映り込むのを抑制し得るバックライトモジュール１０Ｃを備えた電飾看板１Ｃを提供することができる。
【００９０】
尚、上記の説明においては、導光板１１に対して画像フィルム４ｂ側に設けられている光拡散部材１２と導光板１１との間に隙間１５を形成していたが、必ずしもこれに限らず、例えば、導光板１１に対して画像フィルム４ａ側に設けられている光拡散部材１２と導光板１１との間に隙間１５を形成してもよい。また、導光板１１と２つの光拡散部材１２・１２との間のそれぞれに隙間１５・１５を形成することが可能であり、この方がさらに大きな光拡散効果を得ることができるので、より好ましい。
【００９１】
また、本実施の形態では、実施の形態１の光源モジュールとしてのバックライトモジュール１０Ａ及びそれを備えた電飾看板１Ａに隙間１５が形成されているものについて説明したが、必ずしもこれに限らず、実施の形態２の光源モジュールとしてのバックライトモジュール１０Ｂ及びそれを備えた電飾看板１Ｂに隙間１５を形成することも可能である。
【００９２】
〔まとめ〕
本発明の態様１における光源モジュール（バックライトモジュール１０Ａ・１０Ｂ・１０Ｃ）は、光源（ＬＥＤ１３ｂ）と、上記光源（ＬＥＤ１３ｂ）からの光を端面（入射面１１ａ）から結合し、内部を伝搬し、かつ外部へ取り出す導光部材（導光板１１）とを備える光源モジュール（バックライトモジュール１０Ａ・１０Ｂ・１０Ｃ）において、上記導光部材（導光板１１）の両面側には、光拡散部材１２・１２がそれぞれ配設されていると共に、上記各光拡散部材１２・１２の反射率は、該各光拡散部材１２・１２の透過率よりも高いことを特徴としている。
【００９３】
上記の構成によれば、導光部材（導光板１１）の両面側に光拡散部材１２・１２がそれぞれ配設され、かつ光拡散部材は薄いシートで構成できるので、光源モジュールとしても薄いものを形成することができる。したがって、従来よりも薄型の光源モジュールを提供することができる。
【００９４】
また、本発明では、各光拡散部材の反射率は、該各光拡散部材の透過率よりも高い。このため、外光が一方の光拡散部材から入射してきても、その外光は一方の光拡散部材にて反射されるので、その外光が他方の光拡散部材を通して外部へ抜けていくことは少ない。
【００９５】
したがって、一方の光拡散部材の外光が他方の光拡散部材から出射される光に影響することは殆どない。この結果、輝度ムラない品位の高い照明を実現することができる。このことは、この光源モジュールの両面に画像層を備えた電飾看板等の表示装置が存在する場合においても、一方の画像層の光が、他方の画像層から出射される光には影響しない。このため、一方の面の画像が他方の面に映り込むことはない。
【００９６】
したがって、薄型であって、輝度ムラない品位の高い照明を実現することができ、両面表示の電飾看板として用いる場合、一方の面の画像が他方の面に映り込むのを抑制し得る光源モジュール及びそれを備えた表示装置を提供することができる。
【００９７】
本発明の態様２における光源モジュール（バックライトモジュール１０Ａ・１０Ｂ・１０Ｃ）では、態様１の光源モジュール（バックライトモジュール１０Ａ・１０Ｂ・１０Ｃ）において、前記光拡散部材１２・１２の反射率は、７８％以上であることが好ましい。
【００９８】
これにより、確実に、輝度ムラない品位の高い照明を実現することができ、両面表示の電飾看板として用いる場合、一方の面の画像が他方の面に映り込むのを抑制し得る光源モジュール及びそれを備えた電飾看板を提供することができる。
【００９９】
本発明の態様３における光源モジュール（バックライトモジュール１０Ｃ）では、態様１又は態様２の光源モジュールにおいて、少なくとも一方の前記光拡散部材１２は、前記導光部材（導光板１１）との間に隙間１５を有して配設されていることが好ましい。
【０１００】
これにより、拡散部材と導光部材との間に隙間が存在することによって、一方の拡散部材から導光部材への光の進行において、空気層により光が拡散され、大きな光拡散効果をえることができる。
【０１０１】
このため、一方の拡散部材からの光が導光部材を通して他方の拡散部材に直接的に抜けていくのではなく、緩和つまりぼかされるので、輝度ムラない品位の高い照明を実現することができ、両面表示の電飾看板として用いる場合、一方の面の画像が他方の面に映り込むのを抑制し得る光源モジュール及びそれを備えた電飾看板を提供することができる。
【０１０２】
本発明の態様４における光源モジュール（バックライトモジュール１０Ｃ）では、態様３における光源モジュールにおいて、前記少なくとも一方の光拡散部材１２と前記導光部材（導光板１０）との間に隙間１５を有する側の該光拡散部材１２の外側には画像層（画像フィルム４ｂ）が配設されていると共に、上記光拡散部材１２と上記導光部材（導光板１０）との隙間１５の距離は、上記画像層（画像フィルム４ｂ）と光拡散部材１２との間の距離よりも大きいことを特徴としている。
【０１０３】
すなわち、本発明の一形態のように、光拡散部材の反射率が大きい場合は、光拡散部材と画像層との間の距離を大きくとることによる輝度均一性向上の効果も期待できるが、その効果よりも導光部材と光拡散部材の間の距離を大きくとることによる輝度均一性向上の方が遥かに大きい。この結果、画像層を含めた全体の厚さが同じであれば、光拡散部材と画像層との間の距離を大きくとるよりも、光拡散部材と導光部材との間の距離を光拡散部材と画像層との間の距離よりも大きくとるほうが有利であるといえる。
【０１０４】
本発明の態様５における光源モジュール（バックライトモジュール１０Ａ・１０Ｂ・１０Ｃ）では、態様１、態様２又は態様３の光源モジュール（バックライトモジュール１０Ａ・１０Ｂ・１０Ｃ）において、前記光源は、発光ダイオード（ＬＥＤ１３ｂ）であるとすることができる。
【０１０５】
これにより、発光ダイオード（ＬＥＤ１３ｂ）は小型であり、一個の光量も大きいと共に、消費電力が小さく長寿命であるので、導光部材を備えた光源モジュール（バックライトモジュール１０Ａ・１０Ｂ・１０Ｃ）の光源として適している。
【０１０６】
本発明の態様６における表示装置（電飾看板１Ａ・１Ｂ・１Ｃ）は、上記課題を解決するために、前記態様１〜態様４のいずれか１の光源モジュール（バックライトモジュール１０Ａ・１０Ｂ・１０Ｃ）を備えた表示装置（電飾看板１Ａ・１Ｂ・１Ｃ）であって、上記光源モジュール（バックライトモジュール１０Ａ・１０Ｂ・１０Ｃ）の両面側に画像層（画像フィルム４ａ・４ｂ）が配設されていることを特徴としている。
【０１０７】
したがって、薄型であって、輝度ムラない品位の高い照明を実現することができ、両面表示の表示装置として用いる場合、一方の面の画像が他方の面に映り込むのを抑制し得る光源モジュールを備えた表示装置を提供することができる。
【０１０８】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【０１０９】
本実施例では、本実施の形態の電飾看板１Ａにおける導光板１１の裏面側の画像フィルム４ｂにおける導光板１１の表面側への画像の写り込み、及び正面輝度比について、光拡散部材１２の反射率及び透過率を変えた確認実験を行ったので説明する。
【０１１０】
まず、確認実験は、表１に示す光拡散部材を用いて行った。
【０１１１】
【表１】
2014145824.tif 000003
【０１１２】
すなわち、実施例として、全光線透過率５６％、反射率４０％、光拡散係数０．８８及び厚み５ｍｍの光拡散部材１２を用いた実施例１と、全光線透過率２０％、反射率７８％、光拡散係数０．９１及び厚み５ｍｍの光拡散部材１２を用いた実施例１とによって、性能評価した。また、比較例として、全光線透過率４０％、反射率５５％、光拡散係数０．８８及び厚み５ｍｍの光拡散部材を用いて性能評価を行った。
【０１１３】
尚、光拡散部材における光拡散係数（Ｄ）の光学値測定は、自動変角光度計「商品名（ＧＰ−２００）：株式会社村上色彩研究所製」により行い、次式により算出した。
【０１１４】
【数１】
2014145824.tif 000004
【０１１５】
ここで、
θ：光の受光角度
Ｔθ：θ度の光線透過率
Ｂθ：θ度のブライトネス
である。また、光拡散係数（Ｄ）は、受光角度５°のブライトネスＢ５、受光角度２０°のブライトネスＢ２０及び受光角度７０°のブライトネスＢ７０によって求めた。
【０１１６】
また、性能評価については、導光板１１の表裏の画像フィルム４ａ・４ｂの画像の交錯について目視で評価を行い、画像が交錯していないものを「○」、画像が概ね交錯していないものを「△」、交錯しているものを「×」とした。また、正面輝度比は、最も正面輝度が高かった比較例１を１．００として比率を示した。その結果を、表２に示す。
【０１１７】
【表２】
2014145824.tif 000005
【０１１８】
表２の評価結果の実施例１及び実施例２に示すように、光拡散部材１２・１２の光学性能が、反射率５５％以上であり、光拡散係数０．８８以上のものを用いることによって、正面輝度は透過率の高い拡散部材に比べて低下するものの、画像陰影の他の面への映り込みは効果的に抑制でき、薄型で高品位の両面表示の電飾看板１Ａを実現できることが確認できた。
【０１１９】
そのうちでも、光拡散部材１２・１２の光学性能が、反射率７８％以上であり、光拡散係数０．９１以上の実施例２は、特に、画像陰影の他の面への映り込みが効果的に抑制できていることが把握できた。
【０１２０】
これに対し、光拡散部材の光学性能が、反射率４０％であり、光拡散係数０．８８の場合には、画像が交錯し、適切ではないことが判明した。
【０１２１】
この結果、光拡散部材の反射率が、該光拡散部材の透過率よりも高ければ、画像陰影の他の面への映り込みは効果的に抑制できることが確認できた。
【産業上の利用可能性】
【０１２２】
本発明は、線状に出射された光源からの光を導光部材によって面状に出射させるバックライト等の光源モジュール、及びこの光源モジュールを備えた電飾看板、テレビ、モニター等の液晶表示装置等の表示装置及び電子機器に適用可能である。また、その光源モジュールは、大型平面光源として照明装置等の表示装置及び電子機器に適用することが可能である。
【符号の説明】
【０１２３】
１Ａ      電飾看板（表示装置）
１Ｂ      電飾看板（表示装置）
１Ｃ      電飾看板（表示装置）
２        カバー部材
３        フレーム
４ａ      画像フィルム（画像層）
４ｂ      画像フィルム（画像層）
５        保護板
６        制御部
１０Ａ      バックライトモジュール（光源モジュール）
１０Ｂ      バックライトモジュール（光源モジュール）
１０Ｃ      バックライトモジュール（光源モジュール）
１１        導光板（導光部材）
１１ａ      入射面（端面）
１１ｂ      対向面
１１ｃ      出射面
１１ｄ      出射面
１１ｅ      側面
１１ｆ      側面
１２        光拡散部材
１３        光源群
１３ａ      回路基板
１３ｂ      ＬＥＤ（光源）
１４        光散乱部
１５        隙間
８０        電飾看板
８２        光拡散部材
【図１】
2014145824.tif 000006
【図２】
2014145824.tif 000007
【図３】
2014145824.tif 000008
【図４】
2014145824.tif 000009
【図５】
2014145824.tif 000010
【図６】
2014145824.tif 000011
【図７】
2014145824.tif 000012
【図８】
2014145824.tif 000013
【図９】
2014145824.tif 000014
【図１０】
2014145824.tif 000015